(57)【要約】      （修正有）【課題】手動カットモードを選択すべきロール紙が記録装置にセットされているにもかかわらず自動カットモードが設定されている場合には、記録動作終了後に自動でカットが実行されてしまい、印刷物が回収部に丸まった状態で回収されることで、画像劣化が発生する可能性がある。【解決手段】用紙セット部にセットされた用紙が自動カットモードでカットを行って良い用紙か判定し、自動カットモードによるカットが好ましくない用紙であると判定された場合には、警告表示を行うように制御する。このように警告を表示することにより、セットされているロール紙に対して好ましくないカットモードが選択されている場合にはその旨をユーザに通知することができ、ユーザに適切なカットモードへの変更を促すことができるため、印刷物が擦れて画像劣化が生じることを抑止することができる。【選択図】図５
2015085531.tif 000002
【特許請求の範囲】
【請求項１】
ロール紙をセットする用紙セット部と、
前記用紙セット部にセットされた用紙に記録を行う記録部と、
前記記録部の下流側に設けられ、前記ロール紙をカットするカッターと、
記録動作後に前記カッターを自動で駆動させて用紙をカットする自動カットモードと、ユーザの指示により前記カッターを駆動させて用紙をカットする手動カットモードとを含むいずれかのカットモードのうち１つのカットモードの選択をユーザから受け付ける受け付け手段と、を有する記録装置であって、
前記用紙セット部にセットされた用紙が前記自動カットモードでカットを行って良い用紙か判定する判定手段と、
前記判定手段で前記自動カットモードによるカットが好ましくない用紙であると判定された場合には、警告表示を行うように制御する表示制御手段と、
を有することを特徴とする記録装置。
【請求項２】
前記用紙セット部にセットされた用紙の分光特性を検知する検知手段と、
複数のロール紙ごとの分光特性を記憶している記憶手段と、をさらに有し、
前記判定手段は、前記検知手段で検知された分光特性と前記記憶手段に記憶された複数のロール紙ごとの分光特性とに基づいて、前記自動カットモードによるカットに好ましい用紙であるか判定することを特徴とする請求項１に記載の記録装置。
【請求項３】
前記分光特性は、反射率であることを特徴とする請求項２に記載の記録装置。
【請求項４】
前記受け付け手段は、前記記録動作後にカッターによるカットを禁止するカット禁止モードもユーザから受け付け可能であることを特徴とする請求項１乃至３のいずれか１項に記載の記録装置。
【請求項５】
前記表示制御手段は、前記記録装置に記録指示を行う情報処理装置の画面に警告表示をさせるように制御することを特徴とする請求項１乃至４のいずれか１項に記載の記録装置。
【請求項６】
前記判定手段は、記録動作を開始する要求が来た後に判定を行うことを特徴とする請求項１乃至５のいずれか１項に記載の記録装置。
【請求項７】
ロール紙をセットする用紙セット部と、前記用紙セット部にセットされた用紙に記録を行う記録部と、前記記録部の下流側に設けられ、前記ロール紙をカットするカッターを有する記録装置の制御方法であって、
記録動作後に前記カッターを自動で駆動させて用紙をカットする自動カットモードと、ユーザの指示により前記カッターを駆動させて用紙をカットする手動カットモードとを含むいずれかのカットモードのうち１つのカットモードの選択をユーザから受け付ける受け付け工程と、
前記用紙セット部にセットされた用紙が前記自動カットモードを行って良い用紙か判定する判定工程と、
前記判定工程で前記自動カットモードによるカットが好ましくない用紙であると判定された場合には、警告表示を行うように制御する表示制御工程と、
を有することを特徴とする制御方法。
【発明の詳細な説明】
【技術分野】
【０００１】
本発明は、記録装置および記録装置の制御方法に関する。
【背景技術】
【０００２】
Ａ０やＡ１といった大判のポスター等は、ロール状の記録用紙（以下、ロール紙とも称する）にインクジェット記録装置等で記録を行った後にカットすることで、上記大きさのポスターとすることが知られている。このような記録装置には、特許文献１に示すように記録動作後にロール紙をカットするためのカッターが備え付けられている。さらに、特許文献１には、記録動作後にカットを自動で行う自動カットモードと、ユーザがカッターを用いてカット位置などを適宜判定しカットを手動で行う手動カットモードが設けられていることが開示されている。
【先行技術文献】
【特許文献】
【０００３】
【特許文献１】特開２００１−１４６０５２号公報
【発明の概要】
【発明が解決しようとする課題】
【０００４】
ところで、このような記録装置にセットされるロール紙には様々な種類があることが知られているが、この中にはすぐに切断してしまうと印刷面が擦れて画像劣化が発生してしまう用紙もある。このような用紙では、手動カットモードを選択して印刷面が完全に乾いたことをユーザが確認した上でカットする必要があるが、特許文献１に開示されるように記録装置では、ユーザによるカットモードの選択が適切でない場合でも、そのままカットが行われてしまう可能性がある。そうすると、手動カットモードを選択すべきロール紙が記録装置にセットされているにもかかわらず自動カットモードが設定されている場合には、記録動作終了後に自動でカットが実行されてしまい、印刷物が回収部に丸まった状態で回収されることで、画像劣化が発生することになる。
【０００５】
本発明は、上記課題を鑑みてなされたものであり、セットされているロール紙に対して好ましくないカットモードが設定されている場合に、その状態をユーザに通知することができる記録装置を提供することを目的としている。
【課題を解決するための手段】
【０００６】
本発明の記録装置は、ロール紙をセットする用紙セット部と、前記用紙セット部にセットされた用紙に記録を行う記録部と、前記記録部の下流側に設けられ、前記ロール紙をカットするカッターと、記録動作後に前記カッターを自動で駆動させて用紙をカットする自動カットモードと、ユーザの指示により前記カッターを駆動させて用紙をカットする手動カットモードとを含むいずれかのカットモードのうち１つのカットモードの選択をユーザから受け付ける受け付け手段と、を有する記録装置であって、前記用紙セット部にセットされた用紙が前記自動カットモードでカットを行って良い用紙か判定する判定手段と、前記判定手段で前記自動カットモードによるカットが好ましくない用紙であると判定された場合には、警告表示を行うように制御する表示制御手段と、を有することを特徴としている。
【発明の効果】
【０００７】
このように警告を表示することにより、セットされているロール紙に対して好ましくないカットモードが選択されている場合にはその旨をユーザに通知することができ、ユーザに適切なカットモードへの変更を促すことができるため、印刷物が擦れて画像劣化が生じることを抑止することができる記録装置を提供することができる。
【図面の簡単な説明】
【０００８】
【図１】本発明に係る記録システムの構成図を示す図である。
【図２】本発明の記録装置の内部構成を示す図である。
【図３】図１に示す記録装置のハードウェア構成図である。
【図４】記録装置の機能ブロック図である。
【図５】本発明に係る、設置用紙のカットモード変更処理の一例を示すフローチャートである。
【図６】本発明に係る、推奨カットモード判定処理の一例を示すフローチャートである。
【図７】本発明に係る警告表示の一例である。
【図８】ロール紙ごとの分光特性と、ロール紙ごとの最適なカットモードとが記憶されたテーブルの一例である。
【発明を実施するための形態】
【０００９】
インクジェット記録装置はインクを吐出してロール紙やカット紙の記録用紙に対して記録動作を行うために用いることができる。具体的な適用機器としては、プリンタ、複写機、ファクシミリ等の事務機器や、工業用生産機器などを挙げることができる。このようなインクジェット記録装置を用いることによって、紙、糸、繊維、布帛、皮革、金属、プラスチック、ガラス、木材、セラミックスなど種々の記録用紙に記録を行うことができる。
【００１０】
本明細書内で用いられる「記録」とは、文字や図形などの意味を持つ画像を記録用紙に対して付与することだけでなく、パターンなどの意味を持たない画像を付与することも意味することとする。
【００１１】
さらに「インク」とは広く解釈されるべきものであり、記録用紙上に付与されることによって、画像、模様、パターン等の形成、記録用紙の加工、或いはインクまたは記録用紙の処理に供される液体を言うものとする。
【００１２】
以下、図面を参照して、本発明の実施形態を詳細に説明する。
【００１３】
図１は、本実施形態におけるインクジェット記録システムの構成を示す図である。（なお、図１の各端末構成は一例あり、用途や目的に応じてさまざまな構成例があることは言うまでもない。）
【００１４】
図１に示すように本発明は、情報処理装置１００とインクジェット記録装置のような印刷装置１０１（記録装置とも称する）とがネットワーク１０２を介して通信可能に構成されている。印刷装置１０１は、情報処理装置１００からネットワーク１０２を介して記録データや記録に関わるモードの種類、各種コマンド等を受け取り、これらに基づいて制御を行う。
【００１５】
図２は、印刷装置１０１の内部構造を示す図である。本実施形態における印刷装置１０１は、インクを吐出して記録動作を行う記録ヘッド１０６（記録部）を搭載したキャリッジ１０４を記録用紙１１０の記録幅方向に往復走査させることによって記録動作を行う、いわゆるシリアル型のインクジェット記録装置である。記録ヘッドの吐出口面と対向する位置には、走査領域にわたってプラテンが設けられており、記録用紙がプラテンに支持された状態で記録動作が行われる。
【００１６】
本発明の印刷装置に用いられる記録用紙１１０はロール状の記録用紙であり、記録ヘッド１０６の後方側に設けられた用紙セット部（不図示）から供給され、記録ヘッド１０６の搬送方向に関して下流側に設けられたカッターユニット１０３のカッターによってカットされた１枚の記録用紙として排出することができる。このようなカッターユニット１０３は、印刷装置１０１に設けられたカッター溝に沿って走査されることにより記録用紙の搬送方向と交差する方向に切断することができる。このようにカットされた記録用紙は、印刷装置１０１に設けられたバスケット１１１に落下し、保持される。
【００１７】
図３は、本発明の実施形態における印刷装置１０１の制御部１０のハードウェア構成の一例についての説明図である。
【００１８】
情報処理装置１００からネットワーク１０２を介して記録データや記録に関わるモードの種類、各種コマンド等が送信される。印刷装置１０１には、ＣＰＵ３０６、制御ソフトウェアを内蔵するＲＯＭ３０１、制御ソフトウェアを動作させる際に一時的に使用するＲＡＭ３０２で構成させる。ＣＰＵ３０６は、印刷制御部３０７を制御して記録ヘッド１０６に印刷を行わせることができ、さらにカッター駆動部３０８を制御することによりカッターユニット１０３を駆動させて記録用紙をカットさせることができる。さらに、ＣＰＵ３０６は、印刷装置１０１に設けられた表示部３０３に表示をするように表示制御したり、操作部３０４を介してユーザの操作を受け付けることができる。さらに、ＣＰＵ３０６は、印刷装置１０１設けられた記録用紙の搬送部３０９を制御させて、ロール状の記録用紙を用紙セット部から搬送させることができる。また、ＣＰＵ３０６は、Ｉ／Ｆ部４０８を介してセットされた記録用紙１１０の表面の反射率を測定することができる分光測定機３０５（検知手段）に対して反射率測定するように制御することができ、記録用紙１１０の反射率を取得することができる。
【００１９】
本発明の印刷装置においては、ロール紙を用紙セット部にセットした際に、用紙をどのような方法を用いてカットするかについて操作部３０４を介して設定することができる。
【００２０】
本実施形態に係る記録装置で設定することができるカットモードとしては、（１）記録動作後に自動でカッターユニット１０３を走査させて記録用紙をカットする自動カットモード（Ａｕｔｏ  Ｃｕｔ）、（２）ユーザによる操作部３０４の操作に応じてカッターユニット１０３を走査させて記録用紙をカットする手動カットモード（Ｅｊｅｃｔ  Ｃｕｔ）、（３）カッターユニット１０３によるカットを禁止するカット禁止モード（Ｕｓｅｒ  Ｃｕｔ）、が少なくとも設けられている。
【００２１】
インクの定着性が悪いフィルムなどに記録を行う場合には、Ａｕｔｏ  Ｃｕｔで切断してしまうとバスケットに落下して丸まった際に擦れが発生して画像不良が発生してしまう可能性があるため、Ｅｊｅｃｔ  Ｃｕｔに設定されていることが必要である。また、厚い用紙の場合には、カッターユニット１０３を用いて用紙をカットすると、カッターの刃が破損していしまう恐れが生じるためＵｓｅｒ  Ｃｕｔに設定し、ユーザが鋏等を用いてカットすることが必要である。
【００２２】
このように、記録用紙に応じてカットモードは設定されている必要があるが、上述のようにカットモードの設定は、ユーザが操作部３０４を操作して設定するため、誤って手動カットモードを選択すべきフィルム等のロール紙が記録装置にセットされているにもかかわらず自動カットモードが設定してしまう場合もある。このようなことが生じると、画像不良が発生するため再度の印刷動作を行う必要が出るため、用紙やインクの無駄が発生することになる。そのため、セットされたロール紙に対して好ましくないカットモードが設定されている場合には、その旨をユーザに警告してカットモードの変更を促すことが求められている。
【００２３】
以下、このようなユーザに警告を促す具体的な方法について、説明を行う。
【００２４】
図４は、本発明の印刷装置１０１が備える機能を説明するための機能ブロック図である。印刷装置１０１のＩ／Ｆ部４０８を介して分光測定機３０５によって測定された用紙表面の反射率を取得する。さらに取得された反射率もとに、用紙種別判定部４０４が図８（ａ）に示すような記憶手段に記憶された分光特性テーブル４０１を参酌していずれの用紙がセットされているか判定する。次に、推奨カットモード判定部が図８（ｂ）に示すような記憶手段に記憶された用紙別カットモードテーブル４０２を参酌して、推奨カットモードが設定されているかを判定する。さらに、カットモード適正判定部４０６が、ユーザが操作部を介して設定されたカットモードの設定をユーザ設定管理部４０３から取得し、ユーザにより設定されたカットモードが推奨カットモードとなっているかを判定し、適正でない場合には、画面管理部４０７が適正なカットモードが設定されていない旨の警告画面を表示するように制御させる。さらに、カットモードの設定変更を受け付ける画面を表示するように制御し、ユーザに対して設定の変更を促す。そして、ユーザによってカットモードの設定変更が操作部を介して行われた場合には、ユーザ設定管理部４０３によりユーザによる設定の変更を受け付ける。
【００２５】
次に、このような制御を図５及び６のフローチャート及び図７の表示画面、図８（ａ）の分光特性テーブル、図８（ｂ）の用紙別カットモードテーブルを用いて詳細に説明する。
【００２６】
図５は、設置用紙のカットモードの変更処理を説明するためのフローチャートであり、図６は、図５のＳ５０２の推奨カットモード判定処理を説明するためのフローチャートである。図５及び６のフローチャートに示す処理は、ＣＰＵ３０６が記憶されている制御プログラムを読み出して実行することにより実現される。図７（ａ）は、カットモードが適切でない場合に表示部３０３に表示される警告表示であり、図７（ｂ）は、カットモードを変更するかユーザに確認する際に表示部３０３に表示される画面である。
【００２７】
図８（ａ）は、複数の用紙種別のそれぞれに対応する分光特性データである反射率が示されている分光特性テーブルである。図８（ｂ）は、複数の用紙種別のそれぞれにおいて対応可能なカットモードを示す用紙別カットモードテーブルである。このテーブルにおいて“○”と表記されているカットモード使用することが好ましい推奨カットモードであり、“×”と表記されているカットモードは使用すると好ましくないカットモードである。例えばバックライトフィルムＡにおいて（１）Ａｕｔｏ  Ｃｕｔモードは“×”が設定されているが、これはＡｕｔｏ  Ｃｕｔモードを用いて印刷動作後に自動で用紙をカットしてしまうと、インクが完全に乾燥して定着する前にカットされることになり印刷面が汚れてしまう可能性があるためである。また、ＣａｎｖａｓＡにおいては、（１）Ａｕｔｏ  Ｃｕｔモードと（２）Ｅｊｅｃｔ  Ｃｕｔモードに“×”が設定されているが、これはカッターユニット１０３を用いてカットしてしまうとカッターの刃が破損してしまう可能性があるためである。このような分光特性テーブルおよび用紙別カットテーブルは、印刷装置１０１のＲＡＭ等の記憶手段に予め記憶されている。
【００２８】
図５のフローチャートに戻り説明を続ける。
【００２９】
Ｓ５０１では、印刷装置１０１の制御部１０が、情報処理装置１００からネットワーク１０２を介して記録データ等の印刷開始要求を受信する。
【００３０】
次に、Ｓ５０２で、印刷装置１０１の用紙セット部に設置された設置用紙の推奨カットモードが何かを判定する。
【００３１】
図６にＳ５０２で行われる推奨カットモードの判定処理のフローチャートを示す。
【００３２】
Ｓ６０１では、印刷装置１０１の制御部１０が、分光測定機３０５を用いて記録用紙１１０の紙白部分の分光特性データを取得する。Ｓ６０２では、Ｓ６０１で取得した紙白部分の分光特性データをもとに図８（ａ）に示す分光特性テーブルを参照し、分光特性が最も近い用紙種別を特定する。Ｓ６０３では、Ｓ６０２で特定された用紙種別をもとに図８（ｂ）に示す用紙別カットテーブルを参照して推奨カットモードを取得する。
【００３３】
次に、Ｓ５０３では、操作部３０４で設定されているユーザ設定のカットモードがＳ６０２で取得された推奨カットモードかどうかを判断する。Ｓ５０３でＹｅｓと判定された場合には、そのまま印刷しても問題がないためＳ５１０に進み印刷制御部３０７に対して記録ヘッド１０６で印刷が行われるように印刷指示（記録指示）を出す。一方、ユーザ設定のカットモードが推奨カットモードでない場合には、Ｓ５０４に進み図７（ａ）に示すような警告表示を表示部３０３に表示するように制御する。図７（ａ）の警告表示において“次へ”のボタンがユーザによって選択されると、Ｓ５０５に進み、図７（ｂ）に示すようなカットモードを変更するかの選択画面を表示するように制御する。
【００３４】
Ｓ５０６では、カットモードの変更を受け付けたかどうか（図７（ｂ）の“はい”“いいえ”のいずれかが選択されたか）判断し、“はい”が選択された場合には、Ｓ５０７に進みカットモード設定変更画面を表示するように制御する。一方、“いいえ”が選択された場合には、カットモードの変更は行わずにＳ５１０に進み印刷制御部３０７に対して記録ヘッド１０６で印刷が行われるように印刷指示を出す。
【００３５】
Ｓ５０８では、ユーザからカットモード設定を受け付け、Ｓ５０９でカットモードの設定反映を行い、その後Ｓ５１０に進み印刷制御部３０７に対して記録ヘッド１０６で印刷が行われるように印刷指示を出す。
【００３６】
以上のように本発明では、セットされているロール紙に対して好ましくないカットモードが選択されている場合には警告表示を行うようにし、ユーザに対して印刷物が汚れる可能性があることを通知している。このようにすることで、ユーザに適切なカットモードへの変更を促すことができ、印刷物が擦れて画像劣化が生じることを抑制することができる。
【００３７】
なお、本実施形態においては分光特性として反射率を用いた例を示しているがこれ以外に透過率等の分光特性を用いて用紙種別を特定してもよい。また、分光特性以外に、紙の厚み等の他のデータを用いて用紙種別を特定してもよいことは言うまでもない。
【符号の説明】
【００３８】
１００  情報処理装置
１０１  印刷装置
１０３  カッターユニット
１０６  記録ヘッド
３０５  分光測定機
【図１】
2015085531.tif 000003
【図２】
2015085531.tif 000004
【図３】
2015085531.tif 000005
【図４】
2015085531.tif 000006
【図５】
2015085531.tif 000007
【図６】
2015085531.tif 000008
【図７】
2015085531.tif 000009
【図８】
2015085531.tif 000010